(57)【要約】【課題】  記録媒体に対して画像信号を１フィールドずつ間欠記録すると同時に、記録媒体を再生したときに表示される画像の解像度を良好なものとする。【解決手段】  ＴＧコントローラ３３による制御されるＴＧ３１が、撮像部２から、奇数フィールドの画像信号Ｏｄｄと偶数フィールドの画像信号Ｅｖｅｎとを１回ずつ交互に読み出し、キャプチャコントローラ３４によって制御されるメモリコントローラ１２が、上記撮像部２から奇数回目に読み出された画像信号をメモリ５に記録し、上記メモリ５に記録された画像信号を読み出し、上記メモリコントローラ１２によって読み出された画像信号を、記録媒体コントローラ１３によって記録媒体６に記録する。【選択図】   図１１
2008211846.tif 000002
【特許請求の範囲】
【請求項１】
画像信号を生成する画像信号生成手段と、
上記画像信号生成手段から、奇数フィールドの画像信号と偶数フィールドの画像信号とを１回ずつ交互に読み出す第１の画像信号読み出し手段と、
上記第１の画像信号読み出し手段によって読み出された画像信号が一時的に記録される記録部と、
上記記録部に対して、上記第１の画像信号読み出し手段によって上記画像信号生成手段から奇数回目に読み出された画像信号を記録する第１の記録手段と、
上記記録部に対して記録された画像信号を読み出す第２の画像信号読み出し手段と、
上記第２の画像信号読み出し手段によって読み出された画像信号を、記録媒体に対して記録する第２の記録手段とを備えること
を特徴とする記録装置。
【請求項２】
画像信号を生成する画像信号生成手段と、画像信号を一時的に記録する記録部を備える記録装置における記録方法であり、
上記画像信号生成手段から、奇数フィールドの画像信号と偶数フィールドの画像信号とを１回ずつ交互に読み出す第１の画像信号読み出しステップと、
上記記録部に対して、上記第１の画像信号読み出しステップにおいて上記画像信号生成手段から奇数回目に読み出された画像信号を記録する第１の記録ステップと、
上記記録部に対して記録された画像信号を読み出す第２の画像信号読み出しステップと、
上記第２の画像信号読み出し手段によって読み出された画像信号を、記録媒体に対して記録する第２の記録ステップとを備えること
を特徴とする記録方法。
【発明の詳細な説明】
【技術分野】
【０００１】
本発明は、例えばビデオカメラなどによって出力された画像信号を、記録媒体に対して間欠的に記録する記録装置及び記録方法に関する。
【背景技術】
【０００２】
従来より、例えばビデオカメラなどが被写体を撮像して出力した画像信号を、ビデオテープやハードディスクなどの記録媒体に対して間欠的に記録する間欠記録装置が知られている（例えば、特許文献１）。
【０００３】
当該間欠記録装置では、先ず、供給された画像信号を、フレームメモリに対して所定時間毎に１フレームずつ記録する。次に、所定フレーム分の画像信号がフレームメモリに対して記録される毎に、ＣＰＵ（Central Processing Unit）がフレームメモリに対して記録されている画像信号を読み出す。そして、ＶＴＲ（Video Tape Recorder）が、ＣＰＵによって読み出された後にデジタルアナログ変換された画像信号を、ビデオテープに対して記録する。
【０００４】
【特許文献１】特開平０１−２９６８６９号公報
【発明の開示】
【発明が解決しようとする課題】
【０００５】
ところで、１フレームの画像信号は、図２６に示すように、奇数フィールドの画像信号Ｏｄｄと、偶数フィールドの画像信号Ｅｖｅｎからなる。したがって、記録媒体に対して画像信号を間欠的に記録するときには、１フィールド毎に画像信号を記録することにより、記録媒体の容量を半分にすることができる。
【０００６】
そこで、図２７に示すような、記録媒体に対して所定時間毎に１フィールド分の画像信号を記録する間欠記録装置２００の開発が進められている。
【０００７】
間欠記録装置２００では、図２８に示すように、先ず、タイミングジェネレータ（以下、ＴＧという。）２０１が、撮像部２０２から画像信号Ｏｄｄと画像信号Ｅｖｅｎとを交互に読み出す。次に、メモリコントローラ２０３が、所定のフィールドおきに、メモリ２０４に対して、ＴＧ２０１によって読み出された信号を記録する。そして、メモリ２０４に対して２フィールド分の信号が記録されると、メモリコントローラ２０３がメモリ２０４に記録された画像信号を読み出す。メモリコントローラ２０３によって読み出された画像信号は、記録媒体２０５に対して記録される。
【０００８】
しかしながら、メモリコントローラ２０３がメモリ２０４に対して、ＴＧ２０１によって読み出された画像信号を２ｎ＋１（但し、ｎは自然数）フィールドおきに記録すると、記録媒体２０５には、画像信号Ｅｖｅｎのみ、又は図２９に示すように画像信号Ｏｄｄのみが記録される。
【０００９】
画像信号Ｅｖｅｎのみが記録されている記録媒体２０５を再生すると、モニタ（図示せず。）には、Ｅｖｅｎフィールドのみから生成された画像が表示される。また、画像信号Ｏｄｄのみが記録されている記録媒体２０５を再生すると、モニタには、Ｏｄｄフィールドのみから生成された画像が表示される。したがって、画像信号Ｅｖｅｎのみ、又は画像信号Ｏｄｄのみが記録されている記録媒体２０５を再生すると、画像の解像度が悪くなる。
【００１０】
すなわち、メモリ２０４に対してａ（ａは自然数。）回目に記録される画像信号がＴＧ２０１によって読み出されてから、メモリ２０４に対してａ＋１回目に記録される画像信号がＴＧ２０１によって読み出されるまでの時間（以下、間欠時間という。）が、ＴＧ２０１によって２ｎ＋１（ｎは０以上の整数。）フィールドの画像信号が読み出されている時間に相当する条件で、画像信号を記録媒体２０５に対して記録したときには、記録媒体２０５を再生すると、画像の解像度が悪くなる。画像の解像度が悪いと、例えば、ユーザが画像を観て映し出されているものを確認することが困難となるなどの不都合が生じる虞がある。
【００１１】
本発明は、以上説明した従来の実状を鑑みて提案されたものであり、記録媒体に対して、画像信号を１フィールドずつ間欠的に記録することが可能であり、且つ間欠時間に拘わらず、当該記録媒体を再生したときに表示される画像の解像度が良好なものとなる記録装置を提供することを目的とする。
【課題を解決するための手段】
【００１２】
本発明に係る記録装置は、画像信号を生成する画像信号生成手段と、上記画像信号生成手段から、奇数フィールドの画像信号と偶数フィールドの画像信号とを１回ずつ交互に読み出す第１の画像信号読み出し手段と、上記第１の画像信号読み出し手段によって読み出された画像信号が一時的に記録される記録部と、上記記録部に対して、上記第１の画像信号読み出し手段によって上記画像信号生成手段から奇数回目に読み出された画像信号を記録する第１の記録手段と、上記記録部に対して記録された画像信号を読み出す第２の画像信号読み出し手段と、上記第２の画像信号読み出し手段によって読み出された画像信号を、記録媒体に対して記録する第２の記録手段とを備えることを特徴とする。
【００１３】
また、本発明に係る記録方法は、画像信号を生成する画像信号生成手段と、画像信号を一時的に記録する記録部を備える記録装置における記録方法であり、上記画像信号生成手段から、奇数フィールドの画像信号と偶数フィールドの画像信号とを１回ずつ交互に読み出す第１の画像信号読み出しステップと、上記記録部に対して、上記第１の画像信号読み出しステップにおいて上記画像信号生成手段から奇数回目に読み出された画像信号を記録する第１の記録ステップと、上記記録部に対して記録された画像信号を読み出す第２の画像信号読み出しステップと、上記第２の画像信号読み出し手段によって読み出された画像信号を、記録媒体に対して記録する第２の記録ステップとを備えることを特徴とする。
【発明の効果】
【００１４】
本発明に係る記録装置及び記録方法は、間欠時間を制御することが可能であり、且つ記録媒体に対して、奇数フィールドの画像信号と偶数フィールドの画像信号とを交互に記録することができる。
【００１５】
したがって、本発明に係る記録装置及び記録方法によって画像信号が間欠的に記録された記録媒体を再生したときには、奇数フィールドの画像信号と偶数フィールドの画像信号とから１フレーム分の画像が生成できるために、解像度の高い画像を表示することができる。すなわち、本発明に係る間欠記録装置は、間欠時間を制御することが可能であるとともに、間欠時間に拘わらず解像度の高い画像を表示することができる。
【発明を実施するための最良の形態】
【００１６】
以下では、本発明の実施の形態について、図面を参照しながら詳細に説明する。
【００１７】
第１の実施の形態
まず、本発明の第１の実施の形態について説明する。
【００１８】
図１に示すように、本発明を適用した間欠記録装置１は、被写体を撮像して画像信号を生成する撮像部２と、撮像部２によって生成された画像信号を所定のタイミングで１フィールドずつ読み出すタイミングジェネレータ（以下、ＴＧという。）３と、撮像部２から供給された画像信号をアナログデジタル変換（以下、Ａ／Ｄ変換という。）するＡ／Ｄ変換部４と、Ａ／Ｄ変換部４から供給された画像信号を一時的に記録するメモリ（記録部）５と、メモリ５から読み出された画像信号を記録する記録媒体６と、各部を制御するコントローラ７とを備える。
【００１９】
記録媒体６としては、例えばハードディスクや、ビデオテープデコーダ、光ディスクなどが使用できる。
【００２０】
コントローラ７は、ＴＧ３による撮像部２からの画像信号の読み出しを制御するＴＧコントローラ１１と、メモリ５に対する画像信号の記録やメモリ５に記憶されている画像信号の読み出しを行うメモリコントローラ１２と、記録媒体６に対してメモリコントローラ１２から読み出された信号を記録する記録媒体コントローラ１３と、メモリコントローラ１２がメモリ５に対して画像信号を記録するタイミングを示す信号を生成してＴＧコントローラ１１及びメモリコントローラ１２に供給するタイミング発生器１４とを備える。
【００２１】
本実施の形態では、間欠記録装置１は、ＴＧ３によって読み出された信号を、３フィールドおきにメモリ５に対して記録している。言い換えると、メモリ５に対してａ（ａは自然数。）回目に記録される画像信号がＴＧ３によって読み出されてから、メモリ５に対してａ＋１回目に記録される画像信号がＴＧ３によって読み出されるまでの時間（以下、間欠時間という。）が、ＴＧ３によって３フィールドの画像信号が読み出されている時間に相当する。なお、以下では、間欠時間を、間欠時間の間に読み出される画像信号のフィールド数で示す。
【００２２】
すなわち、本実施の形態では、タイミング発生器１４は、３フィールドおきに信号を生成し、ＴＧコントローラ１１とメモリコントローラ１２とに供給する。
【００２３】
ＴＧコントローラ１１は、タイミング発生器１４から信号が供給される毎に、ＴＧ３によって撮像部２から読み出される画像信号が切り替わるように、ＴＧ３を制御する。
【００２４】
具体的に説明すると、ＴＧコントローラ１１では、ＴＧ３によって読み出される画像信号が奇数フィールドの画像信号Ｏｄｄであるか偶数フィールドの画像信号Ｅｖｅｎであるかを示すtg_modeが設定される。tg_modeは、ＴＧ３によって読み出される画像信号が画像信号ＯｄｄであるときにはＯｄｄと設定され、ＴＧ３によって読み出される画像信号が画像信号ＥｖｅｎであるときにはＥｖｅｎと設定される。
【００２５】
ＴＧコントローラ１１は、タイミング発生器１４から信号が供給される毎にtg_modeの設定を変えることで、ＴＧ３によって撮像部２から読み出される画像信号を切り替える。詳述すると、ＴＧ３が画像信号Ｏｄｄを読み出しているときにタイミング発生器１４から信号が供給されたときには、tg_modeの設定をＯｄｄからＥｖｅｎに変更することで、ＴＧ３に偶数フィールドの画像信号Ｅｖｅｎを読み出させ、ＴＧ３が画像信号Ｅｖｅｎを読み出しているときにタイミング発生器１４から信号が供給されたときには、tg_modeの設定をＥｖｅｎからＯｄｄに変更することで、ＴＧ３に画像信号Ｏｄｄを読み出させる。
【００２６】
すなわち、本実施の形態では、ＴＧコントローラ１１は、ＴＧ３が画像信号Ｏｄｄを４フィールド連続して読み出すことと、画像信号Ｅｖｅｎを４フィールド連続して読み出すこととを交互に行うように、ＴＧ３を制御する。
【００２７】
メモリコントローラ１２は、ＴＧ３によって読み出された画像信号を、所定フィールド数おきにメモリ５に対して記録すること（以下、ＷＲＩＴＥという。）、メモリ５に記録された画像信号を記録媒体６に対して記録するために読み出すこと（以下、ＲＥＡＤという。）を行う。本実施の形態では、メモリコントローラ１２は、ＴＧ３によって読み出された画像信号を、３フィールドおきにメモリ５に対して記録する。なお、メモリコントローラ１２がメモリ５に対してアクセスしないことをＩＤＬＥという。
【００２８】
また、メモリコントローラ１２は、ＷＲＩＴＥのときにメモリ５に対して何フィールドの画像信号が記録されたかを示すカウンタであるwrite_count1及びwrite_count2と、ＲＥＡＤのときにメモリ５から何フィールドの画像信号が読み出されたかを示すread_count1及びread_count2とを備える。write_count1及びread_count1は、メモリコントローラ設定モードで使用され、write_count2及びread_count2は、メモリアクセス処理で使用される。なお、メモリコントローラ設定モード及びメモリアクセス処理については後述する。
【００２９】
さらに、メモリコントローラ１２では、メモリ５に記録可能な画像信号のフィールド数を示すmemory_max、メモリ５に対して記録されている画像信号のフィールド数を示すwrite_max、動作がＷＲＩＴＥ，ＲＥＡＤ，ＩＤＬＥのいずれかであることを示すmemory_command、ＴＧ３が次に画像信号を読み出したときのメモリコントローラ１２の動作を示すnext_modeの設定が行われる。なお、next_modeにはＩＤＬＥ又はＲＥＡＤのみが設定され、ＷＲＩＴＥは設定されない。
【００３０】
記録媒体コントローラ１３は、メモリ５に記録された画像信号を読み出し、記録媒体６に対して記録する。記録媒体コントローラ１３では、記録媒体６に対して画像信号を記録するか否かを示すrec_commandが設定される。記録媒体６に対して画像信号を記録するときにはrec_commandは「記録」と設定され、記録媒体６に対して画像信号を記録しないときにはrec_commandは「停止」と設定される。
【００３１】
つぎに、間欠記録装置１が被写体を撮像して得られた画像信号を間欠記録するときの、コントローラ７の動作について説明する。
【００３２】
ＴＧ３が撮像部２から１フィールドの画像信号を読み出すと、最初に、図２に示すように、ステップＳ１において、ＴＧコントローラ１１の設定を行うＴＧコントローラ設定モードとなる。
【００３３】
具体的に説明すると、先ず、図３に示すように、ステップＳ１１において、ＴＧコントローラ１１が、タイミング発生器１４から信号が供給されたか否かを判断する。タイミング発生器１４から信号が供給されたときにはステップＳ１２へ進み、タイミング発生器１４から信号が供給されないときには、ＴＧコントローラ設定モードを終了する。
【００３４】
次に、ステップＳ１２において、tg_modeがＯｄｄであるか判断される。tg_modeがＯｄｄであるときにはステップＳ１３へ進み、tg_modeがＥｖｅｎであるときにはステップＳ１４へ進む。
【００３５】
次に、ステップＳ１３では、tg_modeをＥｖｅｎに設定する。また、ステップＳ１４では、tg_modeをＯｄｄに設定する。そして、ＴＧコントローラ設定モードを終了させる。
【００３６】
ＴＧコントローラ設定モードが終了すると、ステップＳ２に進み、メモリコントローラ１２の設定を行うメモリコントローラ設定モードとなる。
【００３７】
具体的に説明すると、先ず、図４に示すように、ステップＳ２０１において、メモリコントローラ１２が、タイミング発生器１４から信号が供給されたか否かを判断する。タイミング発生器１４から信号が供給されたときにはステップＳ２０２へ進み、ＷＲＩＴＥ設定モードとなる。また、タイミング発生器１４から信号が供給されていないときにはステップＳ２２０へ進む。
【００３８】
次に、ステップＳ２０２において、メモリコントローラ１２が、write_count1の数値に１を加算する。次に、ステップＳ２０３において、write_count2の数値をwrite_count1の数値と同じ数値に設定する。次に、ステップＳ２０４において、write_maxをwrite_count1の数値と同じ数値に設定する。
【００３９】
次に、ステップＳ２０５において、write_count1の数値がmemory_maxで示された数値以上であるか否かを判断する。write_count1の数値がmemory_maxで示された数値未満であるときにはステップＳ２０６へ進み、write_count1の数値がmemory_maxで示された数値以上であるときにはステップＳ２０７へ進む。
【００４０】
ステップＳ２０６では、next_modeをＩＤＬＥに設定し、ステップＳ２１０へ進む。
【００４１】
また、ステップＳ２０７では、next_modeをＲＥＡＤに設定する。次に、ステップＳ２０８において、write_count1を０に設定する。次に、ステップＳ２０９において、read_count1を０に設定し、ステップＳ２１０へ進む。
【００４２】
次に、ステップＳ２１０では、memory_commandをＷＲＩＴＥに設定する。そして、メモリコントローラ設定モードを終了させる。
【００４３】
一方、ステップＳ２２０では、next_modeがＲＥＡＤであるか否かを判断する。next_modeがＲＥＡＤでなくＩＤＬＥであるときにはステップＳ２２１に進み、ＩＤＬＥ設定モードとなる。また、ＲＥＡＤであるときにはステップＳ２３１に進み、ＲＥＡＤ設定モードとなる。
【００４４】
ステップＳ２２１では、memory_commandをＩＤＬＥに設定する。そして、メモリコントローラ設定モードを終了させる。
【００４５】
また、ステップＳ２３１では、read_count1の数値に１を加算する。そして、ステップＳ２３２では、read_count2の数値をread_count1の数値と同じとする。
【００４６】
次に、ステップＳ２３３では、read_count1の数値がwrite_maxの数値以上であるか否かを判断する。read_count1の数値がwrite_maxの数値以上であるときにはステップＳ２３４に進み、read_count1の数値がwrite_maxの数値未満であるときにはステップＳ２３７に進む。
【００４７】
次に、ステップＳ２３４では、next_modeをＩＤＬＥに設定する。次に、ステップＳ２３５において、read_count1を０に設定する。次に、ステップＳ２３６において、write_count1を０に設定し、ステップＳ２３７に進む。
次に、ステップＳ２３７では、memory_commandをＲＥＡＤに設定する。そして、メモリコントローラ設定モードを終了させる。
【００４８】
メモリコントローラ設定モードが終了すると、ステップＳ３に進み、記録媒体コントローラ１３の設定を行う記録媒体コントローラ設定モードとなる。
具体的に説明すると、先ず、図５に説明するように、先ず、ステップＳ３１において、memory_commandがＲＥＡＤであるか否かを判断する。memory_commandがＲＥＡＤであるときにはステップＳ３２に進み、rec_commandを「記録」に設定して記録媒体コントローラ設定モードを終了させる。また、memory_commandがＲＥＡＤでないときにはステップＳ３３に進み、rec_commandを「停止」に設定して記録媒体コントローラ設定モードを終了させる。
【００４９】
記録媒体コントローラ設定モードが終了すると、ステップＳ４に進み、ＴＧアクセス処理を行う。
【００５０】
具体的に説明すると、図６に説明するように、先ず、ステップＳ４１で、tg_modeがＯｄｄであるか否かを判断する。tg_modeがＯｄｄであるときにはステップＳ４２に進み、ＴＧ３に画像信号Ｏｄｄを読み出させて、ＴＧアクセス処理を終了させる。また、tg_modeがＥｖｅｎであるときにはステップＳ４３に進み、ＴＧ３に画像信号Ｅｖｅｎを読み出させて、ＴＧアクセス処理を終了させる。
【００５１】
ＴＧアクセス処理が終了すると、ステップＳ５に進み、メモリアクセス処理を行う。
【００５２】
具体的に説明すると、先ず、図７に示すように、ステップＳ５１で、memory_commandがＷＲＩＴＥであるか否かを判断する。memory_commandがＷＲＩＴＥであるときにはステップＳ５２に進み、memory_commandがＲＥＡＤ又はＩＤＬＥであるときにはステップＳ５４に進む。
【００５３】
次に、ステップＳ５２において、メモリコントローラ１２は、write_count2の数値から、メモリ５における画像信号の記録位置を示すアドレスを算出する。
【００５４】
次に、ステップＳ５３において、メモリコントローラ１２は、メモリ５に対して、ステップＳ５２で算出されたアドレスの位置に、Ａ／Ｄ変換部４から供給された画像信号を記録する。そして、メモリアクセス処理を終了させる。
【００５５】
また、ステップＳ５４においては、memory_commandがＲＥＡＤであるか否かを判断する。memory_commandがＲＥＡＤであるときにはステップＳ５５に進み、memory_commandがＩＤＬＥであるときにはメモリアクセス処理を終了させる。
【００５６】
次に、ステップＳ５５において、メモリコントローラ１２は、read_count2の数値から、メモリ５から読み出す画像信号が記録されている位置を示すアドレスを算出する。
【００５７】
次に、ステップＳ５６において、メモリコントローラ１２は、メモリ５から、ステップＳ５５で算出されたアドレスの位置に記録されている画像信号を読み出す。そして、メモリアクセス処理を終了させる。
【００５８】
メモリアクセス処理が終了すると、ステップＳ６に進み、記録媒体アクセス処理を行う。
【００５９】
具体的に説明すると、図８に示すように、先ず、ステップＳ６１において、rec_commandが「記録」であるか否かを判断する。「記録」であるときにはステップＳ６２に進み、「停止」であるときにはＳ６３に進む。
【００６０】
次に、ステップＳ６２では、記録媒体コントローラ１３は、メモリ５から読み出された画像信号を記録媒体６に対して記録する。そして、記録媒体アクセス処理を終了する。
【００６１】
また、ステップＳ６３では、記録媒体コントローラ１３は、メモリ５から読み出された画像信号を、記録媒体６に対して記録することを停止する。そして、記録媒体アクセス処理を終了させる。
【００６２】
コントローラ７が以上説明した動作を行うことにより、ＴＧ３は、図９に示すように、画像信号Ｏｄｄをｍ（但し、ｍは２以上の自然数。）回連続して読み出すことと、画像信号Ｅｖｅｎをｍ回連続して読み出すこととを、交互に行う。また、メモリコントローラ１２は、メモリ５に対して画像信号をｍ−１フィールドおきに書き込む。さらに、記録媒体コントローラ１３は、記録媒体６に対して、撮像部２によって撮像された画像信号を、ｍ−１フィールドおきに記録（以下、間欠記録という。）する。
【００６３】
したがって、図１０に示すように、記録媒体６に対しては、画像信号Ｏｄｄと画像信号Ｅｖｅｎとが交互に間欠記憶される。
【００６４】
本実施の形態では、ｍ＝４とされているので、ＴＧ３は、画像信号Ｏｄｄを４回読み出すことと画像信号Ｅｖｅｎを４回連続して読み出すこととを、交互に行う。また、メモリコントローラ１２は、メモリ５に対して画像信号を３フィールドおきに書き込む。さらに、記録媒体コントローラ１３は、記録媒体６に対して、撮像部２によって撮像された画像信号を３フィールドおきに記録する。
【００６５】
以上説明したように、間欠記録装置１によれば、ＴＧコントローラ１１がＴＧ３によって読み出される画像信号を制御することで、間欠時間を制御することが可能であり、間欠時間に拘わらず、記録媒体６に対して、画像信号Ｏｄｄと画像信号Ｅｖｅｎとを交互に記録することができる。すなわち、間欠時間が奇数フィールド分であるときにも、画像信号Ｏｄｄと画像信号Ｅｖｅｎとを交互に間欠記録することができる。
【００６６】
したがって、間欠記録装置１によって画像信号が間欠記録された記録媒体６を再生したときには、間欠時間に拘わらず画像信号Ｏｄｄと画像信号Ｅｖｅｎとから１フレーム分の画像が生成できるために、記録媒体６に対して１フィールド毎に画像信号を間欠記録しているにも拘わらず、解像度の高い画像を表示することができる。すなわち、本発明を適用した間欠記録装置１は、間欠時間を自在に設定することが可能であるとともに、解像度の高い画像を生成することができる。
【００６７】
第２の実施の形態
つぎに、本発明の第２の実施の形態について説明する。
【００６８】
なお、以下の説明では、図１に示す間欠記録装置１と同等な構成、部位、機能について説明を省略し、また、図面において同じ符号を付する。
【００６９】
図１１に示すように、本発明を適用した間欠記録装置３０は、撮像部２が生成した画像信号から画像信号Ｏｄｄと画像信号Ｅｖｅｎとを交互に読み出すＴＧ３１と、各部を制御するコントローラ３２とを備える。
【００７０】
コントローラ３２は、ＴＧ３１による画像信号の読み出しを制御するＴＧコントローラ３３と、メモリコントローラ１２を制御するキャプチャコントローラ３４とを備える。
【００７１】
ＴＧコントローラ３３は、ＴＧ３１が撮像部２から画像信号Ｏｄｄと画像信号Ｅｖｅｎとを交互に読み出すように、ＴＧ３１を制御する。
【００７２】
キャプチャコントローラ３４は、メモリコントローラ１２がＡ／Ｄ変換部４から供給された画像信号をメモリ５に対して記録するタイミング、及びメモリコントローラ１２がメモリ５に記録された画像信号を読み出すタイミングを制御する。具体的に説明すると、キャプチャコントローラ３４は、メモリコントローラ１２がメモリ５に対して１フィールド目に画像信号を記録してから２フィールド目に画像信号を記録するまでの時間がｔ１−１フィールドとなり、メモリ５に対して２フィールド目に画像信号を記録した後に２フィールド分の画像信号を読み出し、再度１フィールド目に画像信号を記録するまでの時間がｔ１＋１フィールドとなるように、メモリコントローラ１２を制御する。なお、ｔ１は定数であり、撮像部２からＴＧ３１によって読み出された画像信号のフィールド数で示される。本実施の形態では、ｔ１＝３とされている。すなわち、ｔ１−１＝２となり、ｔ１＋１＝４となる。
【００７３】
キャプチャコントローラ３４は、メモリコントローラ１２がメモリ５に対して１フィールド分の画像信号を記録してから次にメモリ５に対して１フィールド分の画像信号を記録するまでの時間ｔ２を数えるカウンタであるcapture_countを備える。メモリコントローラ１２がメモリ５に対して１フィールド目に画像信号を記録してから２フィールド目に画像信号を記録するまでの時間ｔ２は、ｔ１−１であり、メモリコントローラ１２がメモリ５に対して２フィールド目に画像信号を記録した後に２フィールド分の画像信号を読み出し、再度１フィールド目に画像信号を記録するまでの時間ｔ２は、ｔ１＋１である。capture_countは、ＴＧ３１が撮像部２から画像信号を１回読み出す毎に数値を１つずつ増やし、ｔ２と同じ数になったら０にリセットする。
【００７４】
また、キャプチャコントローラ３４は、メモリコントローラ１２によってＷＲＩＴＥが行われているときにメモリ５に対して記録された画像信号が、メモリ５に対して１フィールド目に記録された画像信号であるか２フィールド目の画像信号であるかを示すcapture_numberの設定を行う。capture_numberが０であるときにはメモリ５に対して記録された画像信号が１フィールド目に記録された画像信号であることを示し、capture_numberが１であるときにはメモリ５に対して記録された画像信号が２フィールド目に記録された画像信号であることを示す。
【００７５】
さらに、キャプチャコントローラ３４は、メモリコントローラ１２がＡ／Ｄ変換部４によって供給された画像信号をメモリ５に対して記録するタイミングであるか否かを示すcapture_flagの設定を行う。capture_flagが０であるときには、メモリコントローラ１２がＡ／Ｄ変換部４によって供給された画像信号をメモリ５に対して記録するタイミングではないことを示し、capture_flagが１であるときには、メモリコントローラ１２がＡ／Ｄ変換部４によって供給された画像信号をメモリ５に対して記録するタイミングであることを示す。
【００７６】
つぎに、間欠記録装置３０が、被写体を撮像して得られた画像信号を間欠記録するときの、コントローラ３２の動作について説明する。
【００７７】
ＴＧ３１が撮像部２から１フィールドの画像信号を読み出すと、最初に、図１２に示すように、ステップＳ３０１において、キャプチャコントローラ３４の設定を行う第１のキャプチャコントローラ設定モードとなる。第１のキャプチャコントローラ設定モードでは、capture_countの更新とcapture_flagの設定を行う。
【００７８】
具体的に説明すると、図１３に示すように、先ず、ステップＳ３１１で、capture_numberが０であるか否かを判断する。capture_numberが０であると判断したときにはステップＳ３１２へ進み、capture_numberが１であると判断したときには、ステップＳ３１３へ進む。
【００７９】
次に、ステップＳ３１２では、間欠時間ｔ２を、ｔ１から１を減算した数値に設定する。本実施の形態ではｔ１＝３とされているため、ｔ２＝２に設定される。すなわち、メモリ５に対して１フィールド目が記録されてから２フィールド目が記録されるまで時間を２フィールドに設定する。そして、ステップＳ３１４に進む。
【００８０】
また、ステップＳ３１３では、ｔ２を、ｔ１に１を加算し数値に設定する。本実施の形態では、ｔ２は４に設定される。すなわち、メモリ５に対して２フィールド目が記録した後に２フィールド分の画像信号を読み出し、再度１フィールド目に画像信号を記録するまでの時間を４フィールドに設定する。そして、ステップＳ３１４に進む。
【００８１】
次に、ステップＳ３１４では、capture_countに１を加算する。
【００８２】
次に、ステップＳ３１５では、capture_countの値がｔ２以上であるか否かを判断する。ｔ２以上であるときにはステップＳ３１６に進み、ｔ２未満であるときにはステップＳ３１８に進む。
【００８３】
次に、ステップＳ３１６では、capture_flagを１とする。すなわち、Ａ／Ｄ変換部４から供給された画像信号をメモリ５に対して記録するタイミングであるという設定を行う。そして、ステップＳ３１７に進み、capture_countを０にする。そして、第１のキャプチャコントローラ設定モードを終了させる。
【００８４】
また、ステップＳ３１８では、capture_flagを０とする。すなわち、Ａ／Ｄ変換部４から供給された画像信号をメモリ５に対して記録するタイミングではないという設定を行う。そして、第１のキャプチャコントローラ設定モードを終了させる。
【００８５】
第１のキャンプチャコントローラ設定モードが終了すると、ステップＳ３０２に進み、キャプチャコントローラ３４の設定を行う第２のキャプチャコントローラ設定モードとなる。第２のキャプチャコントローラ設定モードでは、capture_numberの設定が行われる。
【００８６】
具体的に説明すると、図１４に示すように、先ず、ステップＳ３２１において、capture_flagが１であるか否かを判断する。capture_flagが１であるときにはステップＳ３２２に進み、capture_flagが０であるときには第２のキャプチャコントローラ設定モードを終了させる。
【００８７】
次に、ステップＳ３２２において、capture_numberが０であるか否かを判断する。capture_numberが０であるときにはステップＳ３２３に進み、capture_numberが１であるときにはステップＳ３２４に進む。
【００８８】
次に、ステップＳ３２３において、capture_numberを０に設定する。そして、第２のキャプチャコントローラ設定モードを終了させる。
【００８９】
また、ステップＳ３２４において、capture_numberを１に設定する。そして、第２のキャプチャコントローラ設定モードを終了させる。
【００９０】
第２のキャプチャコントローラ設定モードを終了させると、ステップＳ３０３に進み、メモリコントローラ１２の設定が行われるメモリコントローラ設定モードになる。
【００９１】
具体的に説明すると、図１５に示すように、先ず、ステップＳ３３１において、capture_flagが１であるか否かを判断する。capture_flagが０であるときにはステップＳ２０２に進み、capture_flagが１であるときにはステップＳ２２０に進む。ステップＳ２０２以下の処理及びステップＳ２２０以下の処理は、第１の実施の形態で説明したステップＳ３のメモリコントローラ設定モードにおける処理と同じであるため、説明を省略する。
【００９２】
メモリコントローラ設定モードが終了すると、ステップＳ３０４に進み、記録媒体コントローラ設定モードになる。ステップＳ３０４で行われる処理は、第１の実施の形態で説明したステップＳ３の記録媒体コントローラ設定モードにおける処理と同じであるため、説明を省略する。
【００９３】
記録媒体コントローラ設定モードが終了すると、ステップＳ３０５に進み、ＴＧアクセス処理を行う。
【００９４】
具体的に説明すると、ＴＧコントローラ３３は、図１６に示すように、ステップＳ３５１において、ＴＧ３１によって読み出されている画像信号が画像信号Ｏｄｄであるか否かを判断する。ＴＧ３１が画像信号Ｏｄｄを読み出しているときにはステップＳ３５２に進み、画像信号Ｅｖｅｎを読み出しているときにはステップＳ３５３に進む。
【００９５】
次に、ステップＳ３５２において、ＴＧコントローラ３３は、ＴＧ３１に対して画像信号Ｅｖｅｎを読み出すように指示する。ＴＧ３１は、ＴＧコントローラ３３の指示に従って画像信号Ｅｖｅｎを読み出す。そして、ＴＧアクセス処理を終了させる。
【００９６】
また、ステップＳ３５３において、ＴＧコントローラ３３は、ＴＧ３１に対して画像信号Ｏｄｄを読み出すように指示する。ＴＧ３１は、ＴＧコントローラ３３の指示に従って画像信号Ｏｄｄを読み出す。そして、ＴＧアクセス処理を終了させる。
【００９７】
ＴＧアクセス処理が終了すると、ステップＳ３０６に進み、メモリアクセス処理を行う。次に、ステップＳ３０７に進み、記録媒体アクセス処理を行う。ステップＳ３０６のメモリアクセス処理、及びステップＳ３０７の記録媒体アクセス処理は、第１の実施の形態で説明したステップＳ６のメモリアクセス処理、及びステップＳ７の記録媒体アクセス処理と同じであるので、説明を省略する。
【００９８】
コントローラ３２が以上説明した動作を行うことにより、ＴＧ３１は、図１７に示すように、画像信号Ｏｄｄと画像信号Ｅｖｅｎとを交互に読み出す。また、メモリコントローラ１２は、メモリ５に対して画像信号が記録されてからｔ１−１フィールド後に出力された画像信号をメモリ５に対して記録することと、ｔ１＋１フィールド後に出力された画像信号をメモリ５に対して記録してメモリ５から２フィールド分の画像信号を読み出すこととを交互に行う。
【００９９】
したがって、図１８に示すように、記録媒体６に対しては、画像信号Ｏｄｄと画像信号Ｅｖｅｎとが交互に間欠記憶される。
【０１００】
以上説明したように、間欠記録装置３０によれば、メモリコントローラ１２がメモリ５に対して画像信号を記録するタイミングを制御することで、間欠時間を制御することが可能であり、記録媒体６に対して、画像信号Ｏｄｄと画像信号Ｅｖｅｎとを交互に記録することができる。
【０１０１】
したがって、間欠記録装置３０によって画像信号が間欠記録された記録媒体６を再生したときには、画像信号Ｏｄｄと画像信号Ｅｖｅｎとから１フレーム分の画像が生成できるために、記録媒体６に対して１フィールド毎に画像信号を間欠記録しているにも拘わらず、解像度の高い画像を表示することができる。すなわち、本発明を適用した間欠記録装置１は、間欠時間を制御することが可能であるとともに、解像度の高い画像を生成することができる。
【０１０２】
第３の実施の形態
つぎに、本発明の第３の実施の形態について説明する。
【０１０３】
なお、以下の説明では、第１の実施の形態で説明した間欠記録装置１及び第２の実施の形態で説明した間欠記録装置３０と同等な構成、部位、機能について説明を省略し、また、図面において同じ符号を付する。
【０１０４】
図１９に示すように、本発明を適用した間欠記録装置５０は、各部を制御するコントローラ５１を備える。コントローラ５１は、メモリ５に記録された画像信号の位相をずらす位相コントローラ５２と、メモリコントローラ１２及び位相コントローラ５２を制御するキャプチャコントローラ５３とを備える。
【０１０５】
位相コントローラ５２は、メモリ５に記録された画像信号を構成する各ラインの画像信号の空間位相を１ライン分ずらすことにより、奇数フィールドの画像信号Ｏｄｄから偶数フィールドの画像信号Ｅｖｅｎを生成すること、並びに偶数フィールドの画像信号Ｅｖｅｎから奇数フィールドの画像信号Ｏｄｄを生成することを行う。位相コントローラ５２は、キャプチャコントローラ５３からの制御に基づいて動作する。
【０１０６】
位相コントローラ５２では、メモリ５に記録された画像信号に対して位相を１ライン分ずらすか否かを示すphase_flagを設定する。位相コントローラ５３は、phase_flagが１であるときにメモリ５に対して記録された画像信号の位相を１ライン分ずらし、phase_flagが０であるときにメモリ５に対して記録された画像信号の位相をずらさない。
【０１０７】
キャプチャコントローラ５３は、メモリコントローラ１２がＡ／Ｄ変換部４から供給された画像信号をメモリ５に対して記録するタイミング、メモリコントローラ１２がメモリ５に記録された画像信号を読み出すタイミング、及び位相コントローラ５２がメモリ５に記録された画像信号を構成する各ラインの画像信号の位相を１ライン分ずらすタイミングを制御する。
【０１０８】
キャプチャコントローラ５３では、間欠時間ｔ３を示すinterval_timeが設定されている。interval_timeは、ＴＧ３１が撮像部２から画像信号を読み出した回数を数える。
【０１０９】
また、キャプチャコントローラ５３は、間欠時間ｔ３を数えるカウンタであるcapture_countを備える。capture_countは、ＴＧ３１が撮像部２から画像信号を１回読み出す毎に数値を１つずつ増やし、interval_timeで設定されている数値と同じ値になったら０にリセットされる。
【０１１０】
さらに、キャプチャコントローラ５３は、capture_number及びcapture_flagの設定を行う。capture_number及びcapture_flagは、第２の実施の形態のキャプチャコントローラ３４で設定されるものと同じであるので、説明を省略する。
【０１１１】
つぎに、間欠記録装置５０が、被写体を撮像して得られた画像信号を間欠記録するときの、コントローラ５１の動作について説明する。
【０１１２】
ＴＧ３１が撮像部２から１フィールドの画像信号を読み出すと、図２０に示すように、最初に、ステップＳ４０１において、キャプチャコントローラ５３の設定が行われる第１のキャプチャコントローラ設定モードとなる。第１のキャプチャコントローラ設定モードでは、capture_countの更新とcapture_flagの設定を行う。
【０１１３】
具体的に説明すると、図２１に示すように、先ず、ステップＳ４１１において、capture_countに１を加算する。
【０１１４】
次に、ステップＳ４１２において、capture_countの値がinterval_timeに設定されている数値以上であるか否かを判断する。interval_timeに設定されている数値以上であるときにはステップＳ４１３に進み、interval_timeに設定されている数値未満であるときにはステップＳ４１５に進む。
【０１１５】
次に、ステップＳ４１３では、capture_flagを１とする。すなわち、Ａ／Ｄ変換部４から供給された画像信号をメモリ５に対して記録するタイミングであるという設定を行う。そして、ステップＳ４１４に進み、capture_countを０にする。そして、第１のキャプチャコントローラ設定モードを終了させる。
【０１１６】
また、ステップＳ４１５では、capture_flagを０とする。すなわち、Ａ／Ｄ変換部４から供給された画像信号をメモリ５に対して記録するタイミングではないという設定を行う。そして、第１のキャプチャコントローラ設定モードを終了させる。
【０１１７】
第１のキャンプチャコントローラ設定モードが終了すると、ステップＳ４０２に進み、第２のキャプチャコントローラ設定モードとなる。次に、ステップＳ４０３に進み、メモリコントローラ設定モードとなる。ステップＳ４０２の第２のキャプチャコントローラ設定モード、及びステップＳ４０３のメモリコントローラ設定モードは、第２の実施の形態で説明したステップＳ３０２の第２のキャプチャコントローラ設定モード、及びステップＳ３０３のメモリコントローラ設定モードと同じなので、説明を省略する。
【０１１８】
メモリコントローラ設定モードが終了すると、ステップＳ４０４に進み、位相コントローラ設定モードとなる。
【０１１９】
具体的に説明すると、図２２に示すように、先ず、ステップＳ４４１において、capture_flagが１であるか否かを判断する。capture_flagが１であるときにはステップＳ４４２に進み、capture_flagが０であるときにはステップＳ４４５に進む。
【０１２０】
次に、ステップＳ４４２において、capture_numberが１であるか否かを判断する。capture_numberが１であるときにはステップＳ４４３に進み、capture_numberが０であるときにはステップＳ４４５に進む。
【０１２１】
次に、ステップＳ４４３において、interval_timeが奇数であるか否かを判断する。interval_timeが奇数であるときにはステップＳ４４４に進み、interval_timeが偶数であるときにはステップＳ４４５に進む。
【０１２２】
次に、ステップＳ４４４において、phase_flagを１に設定する。そして、位相コントローラ設定モードを終了させる。
【０１２３】
また、ステップＳ４４５において、phase_flagを０に設定する。そして、位相コントローラ設定モードを終了させる。
【０１２４】
位相コントローラ設定モードが終了すると、ステップＳ４０５に進み、記録媒体コントローラ設定モードとなる。次に、ステップＳ４０６に進み、ＴＧアクセス処理を行う。次に、ステップＳ４０７に進み、メモリアクセス処理を行う。ステップＳ４０５の記録媒体コントローラ設定モード及びステップＳ４０７のメモリアクセス処理は、第１の実施の形態におけるステップＳ３の記録媒体コントローラ設定モード及びステップＳ５のメモリアクセス処理と同じであるので、説明を省略する。また、ステップＳ４０６のＴＧアクセス処理は、第２の実施の形態におけるステップＳ３０５のＴＧアクセス処理と同じであるので、説明を省略する。
【０１２５】
メモリアクセス処理が終了すると、ステップＳ４０８に進み、位相アクセス処理を行う。
【０１２６】
具体的に説明すると、図２３に示すように、先ず、ステップＳ４８１において、phase_flagが１であるか否かを判断する。phase_flagが１であるときにはステップＳ４８２に進み、phase_flagが０であるときには位相アクセス処理を終了させる。
【０１２７】
次に、ステップＳ４８２において、メモリ５に記録された画像信号を構成する各ラインの画像信号の空間位相を１ライン分ずらす。そして、位相アクセス処理を終了させる。
【０１２８】
位相アクセスが終了すると、ステップＳ４０９に進み、記録媒体アクセス処理を行う。ステップＳ４０９の記録媒体アクセス処理は、第１の実施の形態で説明したステップＳ６の記録媒体アクセス処理と同じであるので、説明を省略する。
【０１２９】
コントローラ５１が以上説明した動作を行うことにより、図２４に示すように、ＴＧ３１は、画像信号Ｏｄｄと画像信号Ｅｖｅｎとを交互に読み出す。次に、メモリコントローラ１２は、メモリ５に対して間欠時間ｔ３おきに１フィールドの画像信号を記録する。次に、位相コントローラ５２が、メモリ５に対して２フィールド目に記録された画像信号の空間位相をずらす。次に、メモリコントローラ１２は、メモリ５から１フィールド目に記録された画像信号と２フィールド目に記録された画像信号とを読み出す。そして、記録媒体コントローラ１３が、メモリコントローラ１２によって読み出された画像信号を、記録媒体６に対して記録する。
【０１３０】
したがって、間欠記録装置５０によれば、間欠時間に拘わらず、図２５に示すように、記録媒体６に対して、画像信号Ｏｄｄと画像信号Ｅｖｅｎとを交互に間欠記憶することができる。
【図面の簡単な説明】
【０１３１】
【図１】本発明を適用した第１の実施の形態の間欠記録装置を示すブロック図である。
【図２】同間欠記録装置が画像信号を間欠記録するときの動作を示すフローチャートである。
【図３】ＴＧコントローラ設定モード時の動作を示すフローチャートである。
【図４】メモリコントローラ設定モード時の動作を示すフローチャートである。
【図５】記録媒体コントローラ設定モード時の動作を示すフローチャートである。
【図６】ＴＧアクセス処理時の動作を示すフローチャートである。
【図７】メモリアクセス処理時の動作を示すフローチャートである。
【図８】記録媒体アクセス処理時の動作を示すフローチャートである。
【図９】同間欠記録装置で、画像信号が読み出されたり記録されたりするタイミングを示す図である。
【図１０】同間欠記録装置によって、記録媒体に対して画像信号Ｏｄｄと画像信号Ｅｖｅｎとを交互に記録できることを示す図である。
【図１１】本発明を適用した第２の実施の形態の間欠記録装置を示すブロック図である。
【図１２】同間欠記録装置が画像信号を間欠記録するときの動作を示すフローチャートである。
【図１３】第１のキャプチャコントローラ設定モード時の動作を示すフローチャートである。
【図１４】第２のキャプチャコントローラ設定モード時の動作を示すフローチャートである。
【図１５】メモリコントローラ設定モード時の動作を示すフローチャートである。
【図１６】ＴＧアクセス処理時の動作を示すフローチャートである。
【図１７】同間欠記録装置で、画像信号が読み出されたり記録されたりするタイミングを示す図である。
【図１８】同間欠記録装置によって、記録媒体に対して画像信号Ｏｄｄと画像信号Ｅｖｅｎとを交互に記録できることを示す図である。
【図１９】本発明を適用した第３の実施の形態の間欠記録装置を示すブロック図である。
【図２０】同間欠記録装置で、画像信号が読み出されたり記録されたりするタイミングを示す図である。
【図２１】第１のキャプチャコントローラ設定モード時の動作を示すフローチャートである。
【図２２】位相コントローラ設定モード時の動作を示すフローチャートである。
【図２３】位相アクセス処理時の動作を示すフローチャートである。
【図２４】同間欠記録装置で、画像信号が読み出されたり記録されたりするタイミングを示す図である。
【図２５】１フレームの画像信号が画像信号Ｏｄｄと画像信号Ｅｖｅｎとから生成されていることを示す図である。
【図２６】同間欠記録装置によって、記録媒体に対して画像信号Ｏｄｄと画像信号Ｅｖｅｎとを交互に記録できることを示す図である。
【図２７】従来の間欠記録装置を示すブロック図である。
【図２８】同間欠記録装置で、画像信号が読み出されたり記録されたりするタイミングを示す図である。
【図２９】同間欠記録装置によって、記録媒体に対して画像信号Ｏｄｄと画像信号Ｅｖｅｎとを交互に記録できることを示す図である。
【符号の説明】
【０１３２】
１，３０，５０ 間欠記録装置、２ 撮像部、３，３１ タイミングジェネレータ、４ Ａ／Ｄ変換部、５ メモリ、６ 記録媒体、７，３２，５１ コントローラ、１１，３３ ＴＧコントローラ、１２ メモリコントローラ、１３ 記録媒体コントローラ、１４ タイミング発生器、３４，５３ キャプチャコントローラ、５２ 位相コントローラ
【図１】
2008211846.tif 000003
【図２】
2008211846.tif 000004
【図３】
2008211846.tif 000005
【図４】
2008211846.tif 000006
【図５】
2008211846.tif 000007
【図６】
2008211846.tif 000008
【図７】
2008211846.tif 000009
【図８】
2008211846.tif 000010
【図９】
2008211846.tif 000011
【図１０】
2008211846.tif 000012
【図１１】
2008211846.tif 000013
【図１２】
2008211846.tif 000014
【図１３】
2008211846.tif 000015
【図１４】
2008211846.tif 000016
【図１５】
2008211846.tif 000017
【図１６】
2008211846.tif 000018
【図１７】
2008211846.tif 000019
【図１８】
2008211846.tif 000020
【図１９】
2008211846.tif 000021
【図２０】
2008211846.tif 000022
【図２１】
2008211846.tif 000023
【図２２】
2008211846.tif 000024
【図２３】
2008211846.tif 000025
【図２４】
2008211846.tif 000026
【図２５】
2008211846.tif 000027
【図２６】
2008211846.tif 000028
【図２７】
2008211846.tif 000029
【図２８】
2008211846.tif 000030
【図２９】
2008211846.tif 000031